(57)【要約】携帯電話機１０は、ディスプレイ１４およびタッチパネル１６を備え、ディスプレイ１４の電源がオフにされると、タッチ操作に基づく所定の処理の実行を制限するロック状態が設定される。たとえば、アプリケーションが実行されているときにロック状態が設定されると、表示されている処理画面を背景とするロック画面が生成される。略同時に、実行中のアプリケーションの実行状態が記憶され、そのアプリケーションが中断される。その後、ディスプレイ１４の電源がオンにされると、生成されたロック画面が表示される。そして、解除操作によってロック状態が解除されると、中断したアプリケーションが再開される。
2014077301.tif 000002
【特許請求の範囲】
【請求項１】
表示部および前記表示部に設けられるタッチパネルを有し、タッチ操作に基づく所定の処理の実行を制限するロック状態が設定される、携帯端末であって、
任意の画面に基づいてロック画面を生成する生成部、
前記ロック状態が設定されている状態で前記表示部の電源がオンとなったとき、前記ロック画面を表示する表示処理部、および
前記ロック画面が表示されている状態で解除操作がされたとき、前記ロック状態を解除する解除部を備える、携帯端末。
【請求項２】
前記任意の画面は、所定の処理が実行されているときに表示され、
前記所定の処理が実行されている状態で前記ロック状態が設定されたとき、実行されている処理の実行状態を記憶する記憶処理部、および
前記ロック画面が表示されている状態で解除操作がされたとき、前記記憶処理部によって記憶されている実行状態に基づいて、前記所定の処理を再開する再開部をさらに備える、請求項１記載の携帯端末。
【請求項３】
通常ロック画面を記憶する記憶部、
前記所定の処理が実行されていないときにロック状態が設定された後に、前記表示部の電源がオンにされたとき、前記通常ロック画面を表示する通常ロック画面表示処理部を備え、
前記ロック状態は、前記通常ロック画面が表示されている状態で解除操作がされたときに解除される、請求項２記載の携帯端末。
【請求項４】
前記生成部は、前記任意の画面を背景とするロック画面を生成する、請求項１記載の携帯端末。
【請求項５】
前記任意の画面は、ホーム画面を含む、請求項１記載の携帯端末。
【請求項６】
前記ホーム画面には、任意の処理を実行するための第１アイコンが含まれ、
前記生成部は、前記ホーム画面が前記表示部に表示されている状態で前記ロック状態が設定されたとき、前記ホーム画面に含まれる第１アイコンに対応する第２アイコンを含むロック画面を生成し、
前記解除部は、前記ロック画面が表示されているときに、前記第２アイコンを利用する解除操作がされたとき、前記ロック状態を解除し、
前記ロック画面が表示されているときに、前記第２アイコンを利用する解除操作がされたとき、その第２アイコンと対応する第１アイコンに基づいて所定の処理を実行する実行部をさらに備える、請求項５記載の携帯端末。
【請求項７】
前記生成部は、任意の画面が前記表示部に表示されている状態で前記ロック状態が設定されたとき、前記任意の画面に基づいてロック画面を生成する、請求項１記載の携帯端末。
【請求項８】
表示部および前記表示部に設けられるタッチパネルを有し、タッチ操作に基づく所定の処理の実行を制限するロック状態が設定される、携帯端末におけるロック状態制御方法であって、前記携帯端末のプロセッサが次のステップを実行する：
任意の画面に基づいてロック画面を生成する生成ステップ、
前記ロック状態が設定されている状態で前記表示部の電源がオンとなったとき、前記ロック画面を表示する表示処理ステップ、および
前記ロック画面が表示されている状態で解除操作がされたとき、前記ロック状態を解除する解除ステップ。
【発明の詳細な説明】
【技術分野】
【０００１】
この発明は、携帯端末およびロック状態制御方法に関し、特にロック状態を設定することが出来る、携帯端末およびロック状態制御方法に関する。
【背景技術】
【０００２】
背景技術の一例である携帯電話端末には複数の暗証コードが登録されている。ユーザは、セキュリティロックの解除時に利用する暗証コードによって、暗証コード入力後のモードを変更することが出来る。
【発明の概要】
【発明が解決しようとする課題】
【０００３】
上述の携帯電話端末では、携帯電話端末の開閉が行われる度に、暗証番号入力画面に遷移する。たとえば、携帯電話端末を操作している途中で、他の用件に対応するために携帯電話端末を閉じ、用件が済んだ後に携帯電話端末を開くと、暗証場合入力画面が表示される。このとき、ユーザが携帯電話端末を閉じる前の状態を忘れてしまうことがある。このような場合、ユーザは、セキュリティロックを解除した後に、元の操作を再開し辛くなる。【０００４】
それゆえに、この発明の主たる目的は、新規な、携帯端末およびロック状態制御方法を提供することである。【０００５】
この発明の他の目的は、ユーザの操作性を向上させる、携帯端末およびロック状態制御方法を提供することである。
【課題を解決するための手段】
【０００６】
この発明の第１の局面は、表示部および表示部に設けられるタッチパネルを有し、タッチ操作に基づく所定の処理の実行を制限するロック状態が設定される、携帯端末であって、任意の画面に基づいてロック画面を生成する生成部、ロック状態が設定されている状態で表示部の電源がオンとなったとき、ロック画面を表示する表示処理部、およびロック画面が表示されている状態で解除操作がされたとき、ロック状態を解除する解除部を備える、携帯端末である。【０００７】
この発明の第２の局面は、表示部および表示部に設けられるタッチパネルを有し、表示部の電源がオフとなったときにタッチ操作に基づく所定の処理の実行を制限するロック状態が設定される、携帯端末におけるロック状態制御方法であって、携帯端末のプロセッサが、任意の画面に基づいてロック画面を生成する生成ステップ、ロック状態が設定されている状態で表示部の電源がオンとなったとき、ロック画面を表示する表示処理ステップ、およびロック画面が表示されている状態で解除操作がされたとき、ロック状態を解除する解除ステップを実行する、ロック状態制御方法である。
【発明の効果】
【０００８】
この発明によれば、ユーザの操作性を向上させることが出来る。【０００９】
この発明の上述の目的、その他の目的、特徴および利点は、図面を参照して行う以下の実施例の詳細な説明から一層明らかとなろう。
【図面の簡単な説明】
【００１０】
【図１】図１はこの発明の一実施例の携帯電話機を示す外観図である。
【図２】図２は図１に示す携帯電話機の電気的な構成を示す図解図である。
【図３】図３は図１に示すディスプレイに表示される第１ホーム画面の一例を示す図解図である。
【図４】図４は図１に示すディスプレイに表示されるホーム画面を変更する操作の一例を示す図解図であり、図４（Ａ）は第１ホーム画面に対する操作の一例を示し、図４（Ｂ）はホーム画面を変更する操作によって表示された第２ホーム画面の一例を示す。
【図５】図５は図３に示す機能アイコンに関連する処理を実行するタッチ操作の一例を示す図解図であり、図５（Ａ）は機能アイコンに対するタッチ操作の一例を示し、図５（Ｂ）は実行された処理によって表示された画面の一例を示す。
【図６】図６は図１に示すディスプレイに表示されるロック画面の一例を示す図解図である。
【図７】図７は図６に示すロック画面に対して行われる解除操作の一例を示す図解図であり、図７（Ａ）はロックオブジェクトに対するタッチ操作の一例を示し、図７（Ｂ）は解除オブジェクトに対するタッチ操作の一例を示し、図７（Ｃ）は中断されていたアプリケーションが再開した状態の一例を示す。
【図８】図８は図１に示すディスプレイに表示されるロック画面の他の一例を示す図解図である。
【図９】図９は図２に示すＲＡＭのメモリマップの一例を示す図解図である。
【図１０】図１０は図２に示すプロセッサのロック画面生成処理の一例を示すフロー図である。
【図１１】図１１は図２に示すプロセッサのロック状態解除処理の一例を示すフロー図である。
【図１２】図１２は図１に示すディスプレイに表示されるロック画面のその他の一例を示す図解図である。
【図１３】図１３は図１２に示すロック画面に対して行われる解除操作の一例を示す図解図であり、図１３（Ａ）はロックオブジェクトに対するタッチ操作の一例を示し、図１３（Ｂ）は解除アイコンに対するタッチ操作の一例を示し、図１３（Ｃ）は図１３（Ｂ）に示す解除アイコンに関連するアプリケーションが実行されている状態の一例を示す。
【図１４】図１４は図２に示すプロセッサのロック画面生成処理の他の一例を示すフロー図である。
【図１５】図１５は図２に示すプロセッサのロック状態解除処理の他の一例を示すフロー図である。
【図１６】図１６は図１に示すディスプレイに表示されるロック画面のさらにその他の一例を示す図解図である。
【発明を実施するための形態】
【００１１】
＜第１実施例＞
図１を参照して、この発明の一実施例の携帯電話機１０は、一例としてスマートフォン（smartphone）であり、縦長の扁平矩形のハウジング１２を含む。ただし、この発明は、タブレット端末、ＰＤＡなど任意の携帯端末に適用可能であることを予め指摘しておく。
【００１２】
ハウジング１２の一方主面（表面）には、表示部として機能する、たとえば液晶や有機ＥＬなどのディスプレイ１４が設けられる。ディスプレイ１４の上には、タッチパネル１６が設けられる。したがって、この実施例の携帯電話機１０では、後述のハードキーの操作によるものを除く大部分の入力操作は、このタッチパネル１６を介して行われる。
【００１３】
ハウジング１２の縦方向一端の主面側にスピーカ１８が内蔵され、縦方向他端の主面側にマイク２０が内蔵される。
【００１４】
ハウジング１２の一方主面には、タッチパネル１６と共に入力操作手段を構成するハードキーとして、この実施例では、通話キー２２ａ、終話キー２２ｂおよびホームキー２２ｃが設けられる。
【００１５】
たとえば、ユーザは、ディスプレイ１４に表示されたダイヤルキーに対して、タッチパネル１６によってタッチ操作を行うことで電話番号を入力でき、通話キー２２ａを操作して音声通話を開始することが出来る。終話キー２２ｂを操作すれば、音声通話を終了することが出来る。なお、この終話キー２２ｂを長押しすることによって、携帯電話機１０の電源をオン／オフすることが出来る。
【００１６】
また、ホームキー２２ｃを操作すれば、ディスプレイ１４にデフォルトのホーム画面（図３参照）が表示される。ユーザは、その状態でディスプレイ１４に表示されている機能アイコン（第１アイコン）に対して、タッチパネル１６によるタッチ操作を行うことによって、所定の処理を実行することが出来る。なお、所定の処理には、アプリケーションの処理、メニュー画面などを表示する処理などが含まれる。
【００１７】
図２を参照して、図１に示す実施例の携帯電話機１０は、コンピュータまたはＣＰＵと呼ばれるプロセッサ３０などを含む。プロセッサ３０には、無線通信回路３２、Ａ／Ｄ変換器３６、Ｄ／Ａ変換器３８、入力装置４０、表示ドライバ４２、フラッシュメモリ４４、ＲＡＭ４６およびタッチパネル制御回路４８などが接続される。
【００１８】
プロセッサ３０は、携帯電話機１０の全体制御を司る。記憶部として機能するＲＡＭ４６には、フラッシュメモリ４４に予め設定されているプログラムの全部または一部が使用に際して展開され、プロセッサ３０はこのＲＡＭ４６上のプログラムに従って動作する。なお、ＲＡＭ４６はさらに、プロセッサ３０のワーキング領域ないしバッファ領域として用いられる。
【００１９】
入力装置４０は、図１に示すタッチパネル１６、ハードキー２２を含むものである。そのため、タッチパネル１６に対するユーザからのタッチ操作や、ハードキー２２に対するユーザからのキー操作を受け付ける操作受付部を構成する。ユーザが操作したハードキーの情報（キーデータ）はプロセッサ３０に入力される。
【００２０】
無線通信回路３２は、アンテナ３４を通して、音声通話やメールなどのための電波を送受信するための回路である。実施例では、無線通信回路３２は、ＣＤＭＡ方式での無線通信を行うための回路である。たとえば、ユーザが入力装置４０を操作して電話発信（発呼）を指示すると、無線通信回路３２は、プロセッサ３０の指示の下、電話発信処理を実行し、アンテナ３４を介して電話発信信号を出力する。電話発信信号は、基地局および通信網を経て相手の電話機に送信される。そして、相手の電話機において着信処理が行われると、通信可能状態が確立され、プロセッサ３０は通話処理を実行する。
【００２１】
Ａ／Ｄ変換器３６には図１に示すマイク２０が接続され、マイク２０からの音声信号はＡ／Ｄ変換器３６を通してディジタルの音声データとしてプロセッサ３０に入力される。Ｄ／Ａ変換器３８にはスピーカ１８が接続される。Ｄ／Ａ変換器３８は、ディジタルの音声データを音声信号に変換して、アンプを介してスピーカ１８に与える。したがって、音声データに基づく音声がスピーカ１８から出力される。
【００２２】
表示ドライバ４２には図１に示すディスプレイ１４が接続され、したがって、ディスプレイ１４はプロセッサ３０から出力される映像または画像データに従って映像または画像を表示する。つまり、表示ドライバ４２は、プロセッサ３０の指示の下、当該表示ドライバ４２に接続されたディスプレイ１４の表示を制御する。また、表示ドライバ４２は表示する画像データを一時的に記憶するビデオメモリを含む。ディスプレイ１４には、たとえばＬＥＤなどを光源とするバックライトが設けられており、表示ドライバ４２はプロセッサ３０の指示に従って、そのバックライトの明るさや、点灯／消灯を制御する。
【００２３】
タッチパネル制御回路４８には、図１に示すタッチパネル１６が接続される。タッチパネル制御回路４８は、タッチパネル１６に必要な電圧などを付与するとともに、タッチパネル１６に対するユーザによるタッチの開始を示すタッチ開始信号、ユーザによるタッチの終了を示す終了信号、およびユーザがタッチしたタッチ位置を示す座標データをプロセッサ３０に入力する。したがって、プロセッサ３０はこの座標データに基づいて、ユーザがディスプレイ１４に表示されるどのオブジェクトにタッチしたかを判断することが出来る。
【００２４】
実施例では、タッチパネル１６は、その表面と表面に接近した指などの物体との間に生じる静電容量の変化を検出する静電容量方式でタッチパネルである。タッチパネル１６は、たとえば１本または複数本の指がタッチパネル１６に触れたことを検出する。そのため、タッチパネル１６はポインティングデバイスとも呼ばれる。タッチパネル制御回路４８は検出部として機能し、タッチパネル１６のタッチ有効範囲内でのタッチ操作を検出して、そのタッチ操作の位置を示す座標データをプロセッサ３０に出力する。つまり、ユーザは、タッチパネル１６の表面に対してタッチ操作を行うことによって、操作位置や、操作方向などを携帯電話機１０に入力する。
【００２５】
本実施例のタッチ操作には、タップ操作、ロングタップ操作、フリック操作、スライド操作などが含まれる。
【００２６】
タップ操作は、タッチパネル１６の表面に指を接触（タッチ）させた後、短時間のうちにタッチパネル１６の表面から指を離す（リリースする）操作である。ロングタップ操作は、所定時間以上、指をタッチパネル１６の表面に接触させ続けた後、指をタッチパネル１６の表面から離す操作である。フリック操作は、タッチパネル１６の表面に指を接触させ、任意の方向へ所定速度以上で指を弾く操作である。スライド操作は、タッチパネル１６の表面に指を接触させたまま任意の方向へ移動させた後、タッチパネル１６の表面から指を離す操作である。
【００２７】
また、上記のスライド操作には、ディスプレイ１４の表面に表示されたオブジェクトに指を触れ、オブジェクトを移動させるスライド操作、いわゆるドラッグ操作も含まれる。
【００２８】
なお、以下の説明では、ドラッグ操作の後、タッチパネル１６の表面から指を離す操作をドロップ操作と呼ぶ。また、タッチ操作、ロングタップ操作、フリック操作、スライド操作、ドラッグ操作およびドロップ操作は、それぞれ「操作」を省略して記述することがある。
【００２９】
また、タッチパネル１６の検出方式には、上述した静電容量方式に代えて、抵抗膜方式、超音波方式、赤外線方式および電磁誘導方式などが採用されてもよい。また、タッチ操作はユーザの指だけに限らず、スタイラスペンなどによって行われてもよい。
【００３０】
また、本実施例のオブジェクトには、携帯電話機１０の状態を示すピクト、機能を実行するためのアイコン、バックグラウンドで実行または簡易的に実行されているアプリケーションによって取得された情報の一部または全部を表示するウィジェット（ガジェット）、ファイル、フォルダなどが含まれる。
【００３１】
本実施例の携帯電話機１０は、電話機能のほかに、メールおよびアラームなどのアプリケーションを実行することが可能である。
【００３２】
図３はディスプレイ１４に表示されるホーム画面の一例を示す図解図である。ディスプレイ１４の表示範囲は、状態表示領域６０および機能表示領域６２を含む。状態表示領域６０には、アンテナ３４による電波受信状態を示すピクト、二次電池の残電池容量を示すピクトおよび日時が表示される。また、機能表示領域６２には、複数の機能アイコンを含むホーム画面が表示されている。
【００３３】
また、本実施例の携帯電話機１０には、複数のホーム画面が設定されており、ホーム画面の上側には、表示されているホーム画面を示すインジケータＩＧが表示されている。たとえば、図３に示すインジケータＩＧには２つの図形が含まれていることから、２つのホーム画面が設定されていることが分かる。また、左側の図形がカーソルによって選択されていることから、図３では２つのホーム画面の内、左側のホーム画面が現在表示されていることが分かる。なお、以下の説明では、図３に示す左側のホーム画面を第１ホーム画面と言う。
【００３４】
図４（Ａ），（Ｂ）を参照して、第１ホーム画面が表示されている状態で、左方向にスライドするタッチ操作がされると、右側のホーム画面（第２ホーム画面）がディスプレイ１４に表示される。第２ホーム画面には、第１ホーム画面とは異なる機能アイコンが表示され、インジケータＩＧは右側の図形がカーソルによって選択された状態になる。また、図示は省略するが、第２ホーム画面が表示されている状態で、右方向にスライドするタッチ操作がされると、第１ホーム画面が再び表示される。以下、上述したようにディスプレイ１４の表示を切り替える操作を画面切り替え操作と言う。
【００３５】
また、任意の機能アイコンに対して一定時間以上のタッチ操作がされると、タッチ操作によって機能アイコンの表示位置を任意に変更することが可能な状態となる。さらに、ユーザは、ホーム画面の数を任意に変更することが出来る。そして、ユーザは、新たに追加したホーム画面に、他のホーム画面に表示されている機能アイコンを任意に移動させることも出来る。
【００３６】
なお、本実施例では、一番左側に設定されているホーム画面、つまり第１ホーム画面が、ホームキー２２ｃが操作されたときに表示されるデフォルトのホーム画面とされる。
【００３７】
図５（Ａ），（Ｂ）はホーム画面からアプリケーションを実行する操作の一例を示す図解図である。たとえば、図５（Ａ）に示すように、ユーザがメールアプリケーションに関連する機能アイコンに対してタッチ操作を行うと、メールアプリケーションが実行される。メールアプリケーションが実行されると、図５（Ｂ）に示すように、メールアプリケーションのＧＵＩが機能表示領域６２に表示される。そして、ユーザは、機能表示領域６２における任意のソフトキーにタッチ操作を行うことで、新着メールの確認や、新規メールの作成などを行うことが出来る。
【００３８】
ここで、本実施例の携帯電話機１０は、タッチパネル１６に対するユーザの意図しない入力による誤操作を防止するために、タッチ操作に基づく所定の処理の実行を制限するロック状態を設定することが出来る。たとえば、終話キー２２ｂが操作されると、ディスプレイ１４およびタッチパネル１６の電源がオフにされ、ロック状態が設定される。この状態で、たとえばホームキー２２ｃなどが操作されると、ディスプレイ１４およびタッチパネル１６の電源がオンとなり、ロック画面が表示され、ロック状態の解除操作が受け付けられるようになる。
【００３９】
そして、本実施例は、アプリケーションなどによって表示される任意の画面が表示されている状態でディスプレイ１４の電源がオフとなり、ロック状態が設定されると、任意の画面に基づいてロック画面が生成される。この状態で、ユーザがディスプレイ１４の電源をオンにすると、生成されたロック画面が表示される。したがって、ユーザは、ロック状態を解除する前に、ロック状態が設定される前の状態を容易に思い出すことが出来る。そのため、ロック状態が解除された後のユーザの操作性が向上する。
【００４０】
以下、ロック状態が設定されてからロック状態が解除されるまでの流れを具体的に説明する。たとえば、メールアプリケーションの処理画面が表示されている状態でディスプレイ１４の電源がオフになると、この処理画面を背景とするロック画面が生成される。また、ロック画面が生成されると共に、メールアプリケーションの実行状態が記憶され、メールアプリケーションが中断される。また、これらの処理と略同時に、ロック状態が設定される。
【００４１】
図６を参照して、ロック状態でディスプレイ１４の電源がオンになると、メールアプリケーションの処理画面を背景とするロック画面がディスプレイ１４に表示される。ロック画面の下側には、ロック画面であることを示す表示とロックオブジェクトＲＯとが表示される。また、ロック画面の略中央にロック状態を解除するための解除オブジェクトＵＯが表示される。なお、ロック画面に表示されている、メールアプリケーションのＧＵＩは背景であるため、このＧＵＩに対してタッチ操作がされても、所定の処理が実行されることはない。
【００４２】
図７（Ａ）−（Ｃ）を参照して、ロック状態を解除するための解除操作について説明する。ユーザがロックオブジェクトＲＯに対して指をタッチした後、解除オブジェクトＵＯの方へ指をスライドすると、ロックオブジェクトＲＯは、解除操作を受け付けていることを示すために色が反転する。この状態で、ユーザが解除オブジェクトＵＯの表示位置まで指をスライドしてリリースすると、ロック状態が解除される。また、記憶されたメールアプリケーションの実行状態に基づいてメールアプリケーションが再開されるため、メールアプリケーションが中断されたときの画面、つまり図５に示す処理画面と略同じ処理画面がディスプレイ１４に表示される。なお、図面ではスライドの軌跡を図示したが、実際にはスライドの軌跡は表示されない。
【００４３】
このように、アプリケーションが実行されているときにロック状態が設定されたとしても、ロック画面にはアプリケーションが中断される直前の処理画面が表示されるため、ユーザはロック状態を解除した後に、アプリケーションに対する操作を再開しやすくなる。特に、ロック画面の背景として、アプリケーションが中断される直前の処理画面が表示されるため、ユーザはロック状態が設定されたときの状況を把握しやすくなる。
【００４４】
ここで、アプリケーションが実行されていないときにロック状態が設定された場合、処理画面が表示されていないため、ロック画面は生成されない。この状態でディスプレイ１４がオンにされると、予め設定されている通常のロック画面（以下、通常ロック画面と言う。）が表示される。
【００４５】
図８を参照して、通常ロック画面では、上側に日時が表示され、略中央に解除オブジェクトＵＯが表示され、下側にロック画面であることを示す表示とロックオブジェクトＲＯとが表示される。そして、図７（Ａ），（Ｂ）に示した解除操作と同様の操作がされると、ロック状態が解除される。また、ロック状態が解除されると、ディスプレイ１４には第１ホーム画面が表示される。
【００４６】
このように、アプリケーションが実行されていないときにロック状態が設定された場合は、通常ロック画面を表示することが出来る。
【００４７】
なお、本実施例では、解除操作を受け付けていることを示すためにロックオブジェクトＲＯの色を反転させたが、他の実施例では、バイブレータによる振動や音などによって、解除操作を受け付けていることが、ユーザに通知されてもよい。
【００４８】
また、携帯電話機１０に対する操作が一定時間無くても、ディスプレイ１４は自動的にオフにされ、ロック状態が設定される。
【００４９】
また、本実施例のロック状態では、ロック画面が表示されるまでは、ディスプレイ１４およびタッチパネル１６の電源がオフにされているため、携帯電話機１０の消費電力が抑えられる。ただし、他の実施例では、タッチパネル１６の電源をオフにすることなく、プロセッサ３０が入力されたタッチ操作を処理しないようにすることで、タッチ操作を無効にしてもよい。
【００５０】
また、他の実施例では、ロックオブジェクトＲＯから任意の方向に指がフリックされた場合は、ロック状態が解除され、ホーム画面が表示されてもよい。また、携帯電話機１０のディスプレイ１４が感圧センサを含み、バイブレータによるタッチ操作のフィードバック処理が行われる場合、タッチパネル１６を押下するタッチ操作（以下、クリック操作）によって解除アイコンＵＯが操作されれば、ロック状態が解除されてもよい。
【００５１】
また、本実施例のディスプレイ１４に表示される画像は複数のレイヤを利用して表示されている。そのため、ロックオブジェクトＲＯおよび解除オブジェクトＵＯと、任意の画面に基づいて作成された背景画像とは、異なるレイヤを利用して描画されている。ただし、ロックオブジェクトＲＯ、解除オブジェクトＵＯおよび背景画像は、同一のレイヤに描画されてもよい。
【００５２】
上述では実施例の特徴を概説した。以下では、図９に示すメモリマップおよび図１０、図１１に示すフロー図を用いて詳細に説明する。
【００５３】
図９を参照して、図２に示すＲＡＭ４６には、プログラム記憶領域３０２とデータ記憶領域３０４とが形成される。プログラム記憶領域３０２は、先に説明したように、フラッシュメモリ４４（図２）に予め設定しているプログラムデータの一部または全部を読み出して記憶（展開）しておくための領域である。
【００５４】
プログラム記憶領域３０２には、ロック画面生成プログラム３１０およびロック状態解除プログラム３１２などが記憶される。ロック画面生成プログラム３１０は、ロック画面を生成するためのプログラムである。ロック状態解除プログラム３１２は、ロック状態を解除したり、ロック状態の解除と共に機能を実行したりするためのプログラムである。また、ロック画面生成プログラム３１０およびロック状態解除プログラム３１２は、まとめてロック状態制御プログラムと呼ばれることもある。
【００５５】
なお、プログラム記憶領域３０２には、メールアプリケーションおよびアラームアプリケーションなどを実行するためのプログラムも含まれる。
【００５６】
続いて、ＲＡＭ４６のデータ記憶領域３０４には、タッチバッファ３３０、画面バッファ３３２、中断画面バッファ３３４および実行状態バッファ３３６が設けられる。また、データ記憶領域３０４には、タッチ座標マップ３３８、ホーム画面データ３４０、通常ロック画面データ３４２および生成ロック画面データ３４４などが記憶されると共に、タッチフラグ３４６、ロックフラグ３４８、中断フラグ３５０およびホーム画面フラグ３５２などが設けられる。
【００５７】
タッチバッファ３３０には、タッチパネル制御回路４８が出力するタッチ座標のデータが記憶される。画面バッファ３３２には、ディスプレイ１４に表示されるホーム画面または処理画面などのデータが記憶される。中断画面バッファ３３４には、中断されたアプリケーションの処理画面が記憶される。実行状態バッファ３３６には、アプリケーションが中断されたときに、そのアプリケーションの実行状態が記憶される。
【００５８】
タッチ座標マップ３３８は、タッチ操作におけるタッチ座標と、ディスプレイ１４の表示座標とを対応付けるためのデータである。つまり、タッチ座標マップ３３８に基づいて、タッチパネル１６に対して行われたタッチ操作の結果が、ディスプレイ１４の表示に反映される。
【００５９】
ホーム画面データ３４０は、設定されているホーム画面、たとえば第１ホーム画面および第２ホーム画面を表示するためのデータである。通常ロック画面データ３４２は、図８に示す通常ロック画面のデータである。生成ロック画面データ３４４は、ロック画面生成プログラム３１０の処理によって生成されたロック画面のデータである。
【００６０】
タッチフラグ３４６は、タッチパネル１６に対してタッチされているか否かを判断するためのフラグである。たとえば、タッチフラグ３４６は、１ビットのレジスタで構成される。タッチフラグ３４６がオン（成立）されると、レジスタにはデータ値「１」が設定される。一方、タッチフラグ３４６がオフ（不成立）されると、レジスタにはデータ値「０」が設定される。なお、タッチフラグ３４６は、タッチパネル制御回路４８が出力する信号に基づいてオン／オフが切り換えられる。
【００６１】
また、ロックフラグ３４８は、ロック状態が設定されているか否かを示すためのフラグである。たとえば、ロックフラグ３４８は、ディスプレイ１４およびタッチパネル１６の電源をオフにする処理に応じてオンにされる。また、ロックフラグ３４８は、上述したロック状態制御プログラムの処理に応じてオン・オフが切り替えられる。
【００６２】
中断フラグ３５０は、アプリケーションが中断されたかを示すフラグである。ホーム画面フラグ３５２は、ホーム画面が表示されているときにロック状態が設定されたかを示すフラグである。
【００６３】
なお、ロックフラグ３４８、中断フラグ３５０およびホーム画面フラグ３５２の構成は、タッチフラグ３４６と略同じであるため、構成についての詳細な説明は省略する。
【００６４】
また、データ記憶領域３０４には、待機状態で表示される画像データや、文字列のデータなどが記憶されると共に、携帯電話機１０の動作に必要なカウンタや、フラグも設けられる。
【００６５】
プロセッサ３０は、Ａｎｄｒｏｉｄ（登録商標）およびＲＥＸなどのＬｉｎｕｘ（登録商標）ベースのＯＳや、その他のＯＳの制御下で、図１０に示すロック画面生成処理、図１１に示すロック状態解除処理などを含む複数のタスクを並列的に処理する。
【００６６】
ロック画面生成処理は、ディスプレイ１４の電源がオフにされると開始される。ステップＳ１でプロセッサ３０は、中断フラグ３５０をオフにする。つまり、中断フラグ３５０が初期化される。続いて、ステップＳ３でプロセッサ３０は、アプリケーションが実行中か否かを判断する。ステップＳ３で“ＮＯ”であれば、つまりアプリケーションが実行されていなければ、プロセッサ３０は、ステップＳ１３でロック状態を設定し、ロック画面生成処理を終了する。つまり、ロックフラグ３４８がオンにされる。
【００６７】
一方、ステップＳ３で“ＹＥＳ”であれば、たとえばメールアプリケーションが実行中であれば、ステップＳ５でプロセッサ３０は、処理画面に基づいてロック画面を生成する。つまり、画面バッファ３３２に記憶されている処理画面のデータに基づいて、ロック画面が生成される。また、生成されたロック画面のデータは、生成ロック画面データ３４４としてＲＡＭ４６に記憶される。なお、ステップＳ５の処理を実行するプロセッサ３０は生成部として機能する。
【００６８】
続いて、ステップＳ７でプロセッサ３０は、実行中のアプリケーションの実行状態を記憶する。たとえば、メールアプリケーションが実行されている場合は、たとえば選択されているソフトキーなどの情報などが実行状態バッファ３３６に記憶される。なお、ステップＳ７の処理を実行するプロセッサ３０は記憶処理部として機能する。
【００６９】
続いて、ステップＳ９でプロセッサ３０は、実行中のアプリケーションを中断する。たとえば、プロセッサ３０は、メールアプリケーションが実行中であれば、メールアプリケーションを中断（終了）する。また、このときの処理画面が、中断画面バッファ３３４に記憶される。
【００７０】
続いて、ステップＳ１１でプロセッサ３０は、中断フラグ３５０をオンにする。つまり、アプリケーションが中断されたことを示すために、中断フラグ３５０がオンにされる。続いて、ステップＳ１３でプロセッサ３０は、ロック状態を設定する。そして、ステップＳ１３の処理が終了すれば、プロセッサ３０はロック画面生成処理を終了する。
【００７１】
図１１はロック状態解除処理フロー図である。たとえば、ディスプレイ１４の電源をオンにする操作がされると、ステップＳ３１でプロセッサ３０は、ディスプレイ１４の電源をオンにする。続いて、ステップＳ３３でプロセッサ３０は、アプリケーションを中断しているか否かを判断する。つまり、中断フラグ３５０がオンであるかが判断される。ステップＳ３３で“ＹＥＳ”であれば、つまりアプリケーションが中断されていれば、ステップＳ３５でプロセッサ３０は、生成したロック画面を表示する。つまり、プロセッサ３０は、生成ロック画面データ３４４に基づいて、たとえば図６に示すようなロック画面をディスプレイ１４に表示させる。なお、ステップＳ３５の処理を実行するプロセッサ３０は
表示処理部として機能する。
【００７２】
ステップＳ３７でプロセッサ３０は、解除操作がされたか否かを判断する。たとえば、プロセッサ３０は、図７（Ａ），（Ｂ）に示すように、解除操作が行われたかを判断する。ステップＳ３７で“ＮＯ”であれば、つまり解除操作が行われていなければ、プロセッサ３０はステップＳ３７の処理を繰り返す。一方、ステップＳ３７で“ＹＥＳ”であれば、つまり解除操作がされると、ステップＳ３９でプロセッサ３０は、ロック状態を解除する。つまり、ロックフラグ３４８がオフにされる。なお、ステップＳ３９の処理を実行するプロセッサ３０は解除部として機能する。
【００７３】
続いて、ステップＳ４１でプロセッサ３０は、アプリケーションを再開する。つまり、中断画面バッファ３３４に記憶されている処理画面をディスプレイ１４に表示し、実行状態バッファ３３６に記憶されている内容に基づいて、アプリケーションを再開（実行）する。そして、ステップＳ４１の処理が終了すれば、プロセッサ３０はロック状態解除処理を終了する。なお、ステップＳ４１の処理を実行するプロセッサ３０は再開部として機能する。
【００７４】
ここで、ステップＳ３３で“ＮＯ”であれば、つまりアプリケーションが中断されていなければ、ステップＳ４３でプロセッサ３０は、通常ロック画面を表示する。つまり、プロセッサ３０は、通常ロック画面データ３４２に基づいて、図８に示すようなロック画面をディスプレイ１４に表示する。なお、ステップＳ４３の処理を実行するプロセッサ３０は通常ロック画面表示処理部として機能する。
【００７５】
続いて、ステップＳ４５でプロセッサ３０は、解除操作がされたか否かを判断する。ステップＳ４５で“ＮＯ”であれば、つまり解除操作がされなければ、プロセッサ３０はステップＳ４５の処理を繰り返す。一方、ステップＳ４５で“ＹＥＳ”であれば、つまり解除操作がされると、ステップＳ４７でプロセッサ３０は、ロック状態を解除する。つまり、ロックフラグ３４８がオフにされる。そして、ステップＳ４７の処理が終了すれば、プロセッサ３０はロック状態解除処理を終了する。
【００７６】
＜第２実施例＞
第２実施例では、ホーム画面が表示されている状態でロック状態が設定された場合、ホーム画面に基づいてロック画面が生成される。そして、このようにして生成されたロック画面では、ユーザは、ロック状態を解除すると共に、任意の処理を実行することが出来る。
【００７７】
図１２は第１ホーム画面に基づいて生成されたロック画面を示す図解図である。ロック画面には、第１ホーム画面に含まれていた機能アイコンに対応する解除アイコンが表示される。解除アイコンは、対応する機能アイコンと同じ画像データが利用されるため、見た目は機能アイコンと略同じである。ただし、解除アイコンに対してタッチ操作を行ったとしても、アプリケーションが実行されることはない。
【００７８】
また、ロック画面の下側には、ロック画面であることを示す表示とロックオブジェクトＲＯとが表示される。なお、ホーム画面に基づいて生成されたロック画面では、インジケータＩＧおよび解除オブジェクトＵＯは表示されない。このような態様により、ユーザは携帯電話機１０がロック状態であることを認識することが出来る。
【００７９】
図１３（Ａ）−（Ｃ）を参照して、ロック状態を解除するための解除操作について説明する。ユーザがロックオブジェクトＲＯに対して指をタッチした後、指を任意のアプリケーションに対応する解除アイコンの方へスライドすると、ロックオブジェクトＲＯは解除操作を受け付けていることを示すために色が反転する。この状態で、ユーザがメールアプリケーションに対応する解除オブジェクトの表示位置まで指をスライドしてリリースすると、ロック状態が解除され、メールアプリケーションが実行される。なお、図面ではスライドの軌跡を図示したが、実際にはスライドの軌跡は表示されない。
【００８０】
このように、ホーム画面に基づいて生成されたロック画面を表示することで、ユーザはホーム画面を操作するような感覚で、ロック状態を解除すると共に、任意のアプリケーションを実行することが出来る。より具体的には、たとえばユーザはホーム画面に表示されたアイコンと同様に配列されたロック画面上の解除アイコンを操作することで、ロック状態を解除すると共に、任意のアプリケーションを実行することが出来るようになる。そのため、ロック画面におけるユーザの操作性が向上する。
【００８１】
ここでは、第１ホーム画面に基づくロック画面について説明したが、第２ホーム画面が表示されている状態でロック状態が設定された場合、第２ホーム画面に基づいてロック画面が生成される。
【００８２】
なお、他の実施例では、ロック画面を生成するためのホーム画面を、任意に指定することが出来てもよい。
【００８３】
以上で第２実施例の特徴を概説したが、以下には、図１４、図１５に示すフロー図を用いて詳細に説明する。
【００８４】
図１４は、第２実施例のロック画面生成処理のフロー図である。なお、第２実施例のロック画面生成処理では、ステップＳ１−Ｓ１３の処理は、第１実施例と同じであるため、詳細な説明は省略する。
【００８５】
ロック画面生成処理は、ディスプレイ１４の電源がオフにされると開始される。ステップＳ１でプロセッサ３０は、中断フラグ３５０をオフにする。続いて、ステップＳ６１でプロセッサ３０は、ホーム画面フラグ３５２をオフにする。つまり、ホーム画面フラグ３５２が初期化される。
【００８６】
続いて、ステップＳ３でプロセッサ３０は、アプリケーションが実行中か否かを判断する。ステップＳ３で“ＹＥＳ”であれば、つまりアプリケーションが実行中であれば、プロセッサ３０は、ステップＳ５−Ｓ１３の処理を実行して、ロック画面生成処理を終了する。
【００８７】
一方、ステップＳ３で“ＮＯ”であれば、つまりアプリケーションが実行されていなければ、ステップＳ６３でプロセッサ３０は、ホーム画面が表示されていたかを判断する。つまり、プロセッサ３０は、画面バッファ３３２にホーム画面を表示するデータが記憶されているかを判断する。ステップＳ６３で“ＮＯ”であれば、つまりホーム画面が表示されていなければ、プロセッサ３０はステップＳ１３の処理に進む。
【００８８】
一方、ステップＳ６３で“ＹＥＳ”であれば、つまりホーム画面が表示されていれば、ステップＳ６５でプロセッサ３０は、ホーム画面に基づいてロック画面を生成する。たとえば、プロセッサ３０は、画面バッファ３３２から表示されているホーム画面のデータを読み出し、図１２に示すようなロック画面を生成する。なお、ステップＳ６５の処理を実行するプロセッサ３０は生成部として機能する。
【００８９】
続いて、ステップＳ６７でプロセッサ３０は、ホーム画面フラグ３５２をオンにする。つまり、ホーム画面が表示されているときにロック状態が設定されたことを示すために、ホーム画面フラグ３５２がオンにされる。続いて、プロセッサ３０は、ステップＳ１３でロック状態を設定して、ロック画面生成処理を終了する。
【００９０】
図１５は、第２実施例のロック状態解除処理のフロー図である。なお、第２実施例のロック状態解除処理では、ステップＳ３１−Ｓ４７の処理は、第１実施例と同じであるため、詳細な説明は省略する。
【００９１】
たとえば、ディスプレイ１４をオンにする操作がされると、プロセッサ３０は、ステップＳ３１でディスプレイ１４の電源をオンにする。続いて、ステップＳ３３でプロセッサ３０は、アプリケーションを中断しているか否かを判断する。ステップＳ３３で“ＹＥＳ”であれば、つまりアプリケーションが中断されていれば、プロセッサ３０はステップＳ３５−Ｓ４１の処理を実行して、ロック状態解除処理を終了する。
【００９２】
一方、ステップＳ３３で“ＮＯ”であれば、アプリケーションが中断されていなければ、ステップＳ８１でプロセッサ３０は、ホーム画面が表示されていたか否かを判断する。つまり、ホーム画面フラグ３５２がオンであるかが判断される。ステップＳ８１で“ＮＯ”であれば、つまりロック状態が設定される前にホーム画面が表示されていなければ、プロセッサ３０は、ステップＳ４３−Ｓ４７の処理を実行して、ロック状態解除処理を終了する。
【００９３】
また、ステップＳ８１で“ＹＥＳ”であれば、つまりロック状態が設定される前にホーム画面が表示されていれば、ステップＳ８３でプロセッサ３０は、生成したロック画面を表示する。つまり、ホーム画面に基づいて生成されたロック画面と対応する生成ロック画面データ３４４を読み出し、そのデータに基づいて図１２に示すようなロック画面を、ディスプレイ１４に表示する。なお、ステップＳ８３の処理を実行するプロセッサ３０は表示処理部として機能する。
【００９４】
続いて、ステップＳ８５でプロセッサ３０は、解除操作か否かを判断する。たとえば、プロセッサ３０は、図１３（Ａ），（Ｂ）に示すように、解除操作が行われたかを判断する。ステップＳ８５で“ＮＯ”であれば、つまり解除操作が行われていなければ、プロセッサ３０はステップＳ８５の処理を繰り返す。
【００９５】
一方、ステップＳ８５で“ＹＥＳ”であれば、つまり解除操作がされると、ステップＳ８７でプロセッサ３０は、ロック状態を解除する。つまり、ロックフラグ３４８がオフにされる。なお、ステップＳ８７の処理を実行するプロセッサ３０は解除部として機能する。
【００９６】
続いて、ステップＳ８９でプロセッサ３０は、解除アイコンに基づいてアプリケーションを実行する。たとえば、図１３（Ｂ）に示すように、メールアプリケーションに対応する解除アイコンを利用して解除操作が行われた場合、プロセッサ３０はメールアプリケーションを実行する。そして、ステップＳ８９の処理が終了すれば、プロセッサ３０はロック状態解除処理を終了する。なお、ステップＳ８９の処理を実行するプロセッサ３０は実行部として機能する。
【００９７】
また、第２実施例の他の例では、ホーム画面には、新着メールなどの件数を示す通知アイコンＭｎが関連する機能アイコンの右上に付与されてもよいし、天気予報などの情報を含む情報ウィジェットＷが表示されていてもよい。そして、通知アイコンＭｎおよび情報ウィジェットＷなどがホーム画面に表示されているときにロック状態が設定されると、図１６に示すような、通知アイコンＭｎおよび情報ウィジェットＷを含むロック画面が生成される。そして、このようにして生成されたホーム画面が表示される際には、通知アイコンＭｎおよび情報ウィジェットＷの内容が最新の状態に更新された後に、ディスプレイ１４に表示される。
【００９８】
具体的に説明すると、ロック状態解除処理のステップＳ８１の処理で“ＹＥＳ”と判断されると、ステップＳ８３の処理を実行する前に、プロセッサ３０は、通知アイコンＭｎおよび情報ウィジェットＷの最新の内容をサーバ等から取得する。次に、プロセッサ３０は、生成したホーム画面において、取得した最新の内容に基づいてロック画面の通知アイコンＭｎおよび情報ウィジェットＷの内容を更新する。そして、プロセッサ３０はステップＳ８３で、更新されたロック画面を表示する。
【００９９】
なお、第１実施例および第２実施例については、任意に組み合わせることが可能であり、その組み合わせについては容易に想像できるため、ここでの詳細な説明は省略する。
【０１００】
なお、本実施例では任意の画面をロック画面の背景としていたが、他の実施例では任意の画面のサムネイル画像を含むアイコンがロック画面に表示されるようにしてもよいし、解除オブジェクトＵＯの中に任意の画面のサムネイル画像が表示されるようにしてもよい。
【０１０１】
また、その他の実施例では、ロック状態が解除されるとパスワードの入力を求めるセキュリティ画面が表示されてもよい。たとえば、図７（Ａ），（Ｂ）に示す解除操作がされると、ディスプレイ１４には、セキュリティ画面が表示される。そして、セキュリティ画面で正しいパスワードが入力されると、図７（Ｃ）に示す画面がディスプレイ１４に表示される。このとき、誤ったパスワードが入力された場合は、パスワードの再入力が求められる。
【０１０２】
また、ロック画面が表示されているときに電話着信が発生すると、ロック画面の表示が消去されると共に、電話着信応答画面が表示される。この電話着信応答画面には、ロック状態を解除すると共に、電話着信に応答するための着信応答オブジェクトが含まれる。そして、着信応答オブジェクトに対して、タッチ操作がされると、通話が開始される。
【０１０３】
また、他の実施例では、ロック状態が設定されているときにディスプレイ１４がオンにされた場合は、所定のロック画面（たとえば、図８）が必ず表示されるようにし、ロックオブジェクトＲＯに対してタッチされたときに、アプリケーションが中断される直前の処理画面を背景とするロック画面に切り替わるようにしてもよい。このようにすることで、ディスプレイ１４の電源がオンとなった場合に、実行していたアプリケーションの内容が、ユーザの意思に反して他人に見られることを防ぐことが出来る。
【０１０４】
また、その他の実施例では、タッチパネル機能を有するディスプレイ１４を採用して、ディスプレイ１４の上にタッチパネル１６を設けないようにしてもよい。
【０１０５】
また、本実施例で用いられたプログラムは、データ配信用のサーバのＨＤＤに記憶され、ネットワークを介して携帯電話機１０に配信されてもよい。また、ＣＤ，ＤＶＤ，ＢＤなどの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、プログラムが本実施例と同等の構成の携帯端末にインストールされた場合、本実施例と同等の効果が得られる。
【０１０６】
そして、本明細書中で挙げた、具体的な数値は、いずれも単なる一例であり、製品の仕様変更などに応じて適宜変更可能である。
【０１０７】
ここで、以下の説明における括弧内の参照符号および補足説明等は、この発明の理解を助けるために記述した実施形態との対応関係を示したものであって、この発明を何ら限定するものではない。
【０１０８】
本実施例は、表示部および表示部に設けられるタッチパネルを有し、タッチ操作に基づく所定の処理の実行を制限するロック状態が設定される、携帯端末であって、任意の画面に基づいてロック画面を生成する生成部、ロック状態が設定されている状態で表示部の電源がオンとなったとき、ロック画面を表示する表示処理部、およびロック画面が表示されている状態で解除操作がされたとき、ロック状態を解除する解除部を備える、携帯端末である。
【０１０９】
本実施例では、携帯端末（１０：実施例において対応する部分を例示する参照符号。以下、同じ。）は、タッチパネル（１６）が設けられた表示部を有する。たとえば、表示部の電源がオフにされると、タッチ操作に基づく所定の処理の実行を制限するロック状態が設定される。生成部（３０，Ｓ５，Ｓ６５）は、たとえば、表示されている任意の画面に基づいてロック画面を生成する。ロック状態が設定されている状態で表示部の電源がオンとなると、表示処理部（３０，Ｓ３５，Ｓ８３）、生成したロック画面を表示する。解除部（３０，Ｓ３９，Ｓ８７）は、ロック画面が表示されているときに解除操作がされると、ロック状態を解除する。
【０１１０】
本実施例によれば、ユーザは、ロック状態を解除する前に、ロック状態が設定される前の状態を容易に思い出すことが出来る。そのため、ロック状態が解除された後のユーザの操作性が向上する。
【０１１１】
他の実施例は、任意の画面は、所定の処理が実行されているときに表示され、所定の処理が実行されている状態でロック状態が設定されたとき、実行されている処理の実行状態を記憶する記憶処理部、およびロック画面が表示されている状態で解除操作がされたとき、記憶処理部によって記憶されている実行状態に基づいて、所定の処理を再開する再開部をさらに備える。
【０１１２】
他の実施例では、所定の処理が実行されると、表示部には任意の画面（処理画面）が表示される。そのため、所定の処理が実行されているときにロック状態が設定されると、所定の処理によって表示されている任意の画面に基づいて、ロック画面が生成される。記憶処理部（３０，Ｓ７）は、ロック状態が設定されたときに所定の処理が実行されていれば、その処理の実行状態、たとえばソフトキーの選択情報など記憶する。再開部（３０，Ｓ４１）は、生成されたロック画面が表示されているときに解除操作がされると、記憶されている実行状態に基づいて、所定の処理を再開する。
【０１１３】
他の実施例によれば、所定の処理が実行されているときにロック状態が設定されたとしても、ロック画面には所定の処理が中断される直前の画面が表示されるため、ユーザはロック状態を解除した後に、所定の処理に対する操作を再開しやすくなる。
【０１１４】
その他の実施例は、通常ロック画面を記憶する記憶部、所定の処理が実行されていないときにロック状態が設定された後に、表示部の電源がオンにされたとき、通常ロック画面を表示する通常ロック画面表示処理部を備え、ロック状態は、通常ロック画面が表示されている状態で解除操作がされたときに解除される。
【０１１５】
その他の実施例では、記憶部（４６）は、たとえばＲＡＭなどの記憶装置であり、通常ロック画面を記憶する。たとえば、所定の処理が実行されていないときにロック状態が設定された場合、任意の画面が表示されていないため、ロック画面は生成されない。この状態で表示部の電源がオンにされると、通常ロック画面表示処理部（３０，Ｓ４３）は、通常ロック画面を表示する。
【０１１６】
その他の実施例によれば、所定の処理が実行されていないときにロック状態が設定された場合は、通常ロック画面を表示することが出来る。
【０１１７】
さらにその他の実施例は、生成部は、任意の画面を背景とするロック画面を生成する。
【０１１８】
さらにその他の実施例では、たとえば、ロック画面に解除操作用のオブジェクト（ＲＯ，ＵＯ）が表示されている場合、生成されたロック画面はそのオブジェクトの背景として表示される。
【０１１９】
さらにその他の実施例によれば、ロック画面の背景として任意の画面が表示されるため、ユーザはロック状態が設定されたときの状況を把握しやすくなる。
【０１２０】
他の実施例は、任意の画面は、ホーム画面を含む。
【０１２１】
他の実施例では、ホーム画面が表示されている状態でロック状態が設定されると、ホーム画面に基づいてロック画面が生成される。
【０１２２】
その他の実施例は、ホーム画面には、任意の処理を実行するための第１アイコンが含まれ、生成部は、ホーム画面が表示部に表示されている状態でロック状態が設定されたとき、ホーム画面に含まれる第１アイコンに対応する第２アイコンを含むロック画面を生成し、解除部は、ロック画面が表示されているときに、第２アイコンを利用する解除操作がされたとき、ロック状態を解除し、ロック画面が表示されているときに、第２アイコンを利用する解除操作がされたとき、その第２アイコンと対応する第１アイコンに基づいて所定の処理を実行する実行部をさらに備える。
【０１２３】
その他の実施例では、ホーム画面には、たとえば複数の第１アイコン（機能アイコン）が含まれる。生成部は、たとえばロック状態に移行する前に、第１アイコンに対応する第２アイコンを含むロック画面を生成する。表示処理部は、ロック状態が設定されている状態で表示部の電源がオンにされると、生成したロック画面を表示部に表示する。解除部は、生成されたロック画面が表示されている状態で、第２アイコンを利用する解除操作がされると、ロック状態を解除する。実行部（３０，Ｓ８９）は、ロック画面が表示されている状態で第２アイコンを利用する解除操作がされたとき、その第２アイコンと対応する第１アイコンに基づいて所定の処理を実行する。
【０１２４】
他の実施例またはその他の実施例よれば、ホーム画面に基づいて生成されたロック画面を表示することで、ユーザはホーム画面を操作するような感覚で、ロック状態を解除すると共に、所定の処理を実行することが出来る。そのため、ロック画面におけるユーザの操作性が向上する。
【０１２５】
さらにその他の実施例は、生成部は、任意の画面が表示部に表示されている状態でロック状態が設定されたとき、任意の画面に基づいてロック画面を生成する。
【０１２６】
他の実施例は、表示部（１４）および表示部に設けられるタッチパネル（１６）を有し、表示部の電源がオフとなったときにタッチ操作に基づく所定の処理の実行を制限するロック状態が設定される、携帯端末（１０）におけるロック状態制御方法であって、携帯端末のプロセッサが、任意の画面に基づいてロック画面を生成する生成ステップ（Ｓ５，Ｓ６５）、ロック状態が設定されている状態で表示部の電源がオンとなったとき、ロック画面を表示する表示処理ステップ（Ｓ３５，Ｓ８３）、およびロック画面が表示されている状態で解除操作がされたとき、ロック状態を解除する解除ステップ（Ｓ３９，Ｓ８７）を実行する、ロック状態制御方法である。
【０１２７】
他の実施例でも、ユーザは、ロック状態を解除する前に、ロック状態が設定される前の状態を容易に思い出すことが出来る。そのため、ロック状態が解除された後のユーザの操作性が向上する。
【０１２８】
この発明が詳細に説明され図示されたが、それは単なる図解および一例として用いたものであり、限定であると解されるべきではないことは明らかであり、この発明の精神および範囲は添付されたクレームの文言によってのみ限定される。
【符号の説明】
【０１２９】
１０    …  携帯電話機
１４    …  ディスプレイ
１６    …  タッチパネル
３０    …  プロセッサ
４０    …  入力装置
４４    …  フラッシュメモリ
４６    …  ＲＡＭ
４８    …  タッチパネル制御回路
【図１】
2014077301.tif 000003
【図２】
2014077301.tif 000004
【図３】
2014077301.tif 000005
【図４】
2014077301.tif 000006
【図５】
2014077301.tif 000007
【図６】
2014077301.tif 000008
【図７】
2014077301.tif 000009
【図８】
2014077301.tif 000010
【図９】
2014077301.tif 000011
【図１０】
2014077301.tif 000012
【図１１】
2014077301.tif 000013
【図１２】
2014077301.tif 000014
【図１３】
2014077301.tif 000015
【図１４】
2014077301.tif 000016
【図１５】
2014077301.tif 000017
【図１６】
2014077301.tif 000018
【国際調査報告】
2014077301.tif 000019
2014077301.tif 000020